(57)【要約】【課題】  ナプキン本体の肌側表面に弾性収縮力を発揮する隆起部が設けられた生理用ナプキンにおいて、女性の股部の湾曲形状に倣うように湾曲しやすい構造とする。【解決手段】  生理用ナプキン１は、液吸収層を有するナプキン本体２の肌側表面に、縦方向に弾性収縮力を発揮する第１の隆起部３１と第２の隆起部１５とが設けられている。第１の隆起部３１は前方起端３４と後方起端３５との間で弾性収縮力を発揮し、第２の隆起部１５は前方起端１３ａと後方起端１４ａとの間で弾性収縮力を発揮する。重複領域（ｉ）では第１の隆起部３１と第２の隆起部１５の双方の弾性力が作用する。よってナプキン本体２は、重複領域（ｉ）において小さい曲率となるように曲げ変形されやすくなり、女性の股部の形状に沿うようになる。【選択図】図５
2006181156.tif 000002
【特許請求の範囲】
【請求項１】
液を吸収保持する液吸収層を有するナプキン本体と、前記ナプキン本体の肌側表面に設けられた隆起部とを有する生理用ナプキンにおいて、
縦方向に間隔を開けて位置する前方起端と後方起端との間で弾性収縮力を発揮して、ナプキン本体を肌側表面が窪むように変形させるとともに、ナプキン本体の肌側表面から隆起する第１の隆起部と、縦方向に間隔を開けて位置する前方起端と後方起端との間で弾性収縮力を発揮して、ナプキン本体を肌側表面が窪むように変形させるとともに、ナプキン本体の肌側表面から隆起する第２の隆起部とを有しており、
前記第１の隆起部と前記第２の隆起部とが、横方向に重なる重複領域を有していることを特徴とする生理用ナプキン。
【請求項２】
前記第１の隆起部は、ナプキン本体の縦方向中心線に沿って位置し、前記第２の隆起部は、縦方向中心線から横方向の両側に離れて位置している請求項１記載の生理用ナプキン。
【請求項３】
前記第１の隆起部と第２の隆起部は共に、ナプキン本体の肌側表面から立ち上がるシートと、前方起端と後方起端との間で弾性収縮力を発揮して前記シートを立ち上がらせる弾性部材とを有している請求項１または２記載の生理用ナプキン。
【請求項４】
前記第１の隆起部における前記前方起端と後方起端との中間点は、前記第２の隆起部における前方起端と後方起端との中間点よりも後方に位置している請求項１ないし３のいずれかに記載の生理用ナプキン。
【請求項５】
前記第２の隆起部は、前記第１の隆起部よりも前方に位置し、前記重複領域で、第２の隆起部の一部と前記第１の隆起部の一部が重なっている請求項４記載の生理用ナプキン。
【請求項６】
前記重複領域の前方において第２の隆起部が設けられている領域を前方領域、前記重複領域の後方において第１の隆起部が設けられている領域を後方領域としたときに、隆起部がナプキン本体に与える曲げ応力は、前方領域よりも重複領域の方が大きく、且つ後方領域よりも重複領域の方が大きい請求項５記載の生理用ナプキン。
【請求項７】
前方領域において隆起部がナプキン本体に与える曲げ応力は、後方領域での前記曲げ応力と同じかまたはそれ未満である請求項６記載の生理用ナプキン。
【請求項８】
ナプキン本体には、少なくとも前記前方領域に、縦方向に延びる圧縮線が設けられている請求項６または７記載の生理用ナプキン。
【請求項９】
前記重複領域を前後に二分する中間点は、ナプキン本体の膣対向基準線よりも後方に位置している請求項１ないし８のいずれかに記載の生理用ナプキン。
【請求項１０】
前記第１の隆起部の前方起端は、前記膣対向基準線の後方１２０ｍｍ離れた位置よりも前方に存在する請求項９記載の生理用ナプキン。
【請求項１１】
縦方向に間隔を開けて位置する前方起端と後方起端との間で弾性収縮力を発揮して、ナプキン本体を肌側表面が窪むように変形させる第３の隆起部が設けられており、
前記第１の隆起部における前記前方起端と後方起端との中間点および、前記第３の隆起部における前記前方起端と後方起端との中間点は、前記第２の隆起部における前方起端と後方起端との中間点よりも後方に位置している請求項１ないし３のいずれかに記載の生理用ナプキン。
【請求項１２】
前記第１の隆起部と前記第２の隆起部、および前記第３の隆起部が、横方向に重なる重複領域を有している請求項１１記載の生理用ナプキン。
【請求項１３】
前記第３の隆起部は、前記第１の隆起部と前記第２の隆起部との間に位置している請求項１１または１２記載の生理用ナプキン。
【発明の詳細な説明】
【技術分野】
【０００１】
本発明は、女性の股部分の湾曲形状にフィットして、前記股部分の各部位との間に隙間が形成されにくく、経血の洩れを防止する効果を発揮しやすい生理用ナプキンに関する。
【背景技術】
【０００２】
生理用ナプキンには、液吸収層を有するナプキン本体と、ナプキン本体の肌側表面から隆起する隆起部とが設けられたものが存在している。前記隆起部は、縦方向に弾性収縮力を発揮し、この弾性収縮力により、ナプキン本体は肌側表面が窪むように変形し、且つ隆起部がナプキン本体から立ち上がるように構成されている。
【０００３】
特許文献１に記載の生理用ナプキンは、肌側表面に現れる表面層の中央部分が肌側表面において折り畳まれて突堤が形成されている。この突堤の左右両側部に縦方向に延びる弾性部材が設けられている。特許文献２に記載の生理用ナプキンは、ナプキン本体の肌側表面に、液透過性シートで形成された立体壁が設けられており、この立体壁は断面がＴ字形状である。前記立体壁には、縦方向への収縮力を発揮する弾性部材が設けられている。
【０００４】
前記特許文献１と特許文献２に記載のものは、いずれも前記弾性部材の縦方向の弾性収縮力によってナプキン本体が、その肌側表面が窪むように変形させられ、その結果、縦方向中心線に沿うように設けられた前記突堤または立体壁が、ナプキン本体の肌側表面から立ち上がるように構成されている。前記突堤または前記立体壁が、ナプキン本体の肌側表面から離れることにより、この突堤または立体壁が膣に当たりやすくなり、膣から排出された経血を前記突堤または前記立体壁で捕捉しやすくするというものである。
【０００５】
特許文献３に記載のおむつは、その両側部において、縦方向に延びる立体ガードが設けられ、この立体ガードには、縦方向に弾性収縮力を発揮する弾性糸が設けられている。この弾性糸の弾性収縮力によって、おむつ本体はその肌側表面が窪むように変形し、その結果、前記立体ガードがおむつ本体の肌側表面から立ち上がる。ナプキン本体の左右両側部から立ち上がる前記立体ガードが身体の股部に当たることにより、尿などの横漏れを防止するというものである。また、特許文献３には、おむつ本体の前方部分の曲げ剛性を高くし、後方部分の曲げ剛性を低くして、曲げ剛性の低い部分でおむつ本体を屈曲させやすくする手段が開示されている。
【０００６】
特許文献４には、２種類の弾性部材を有する吸収性製品が開示されている。この吸収性製品は、使い捨ておむつ、生理用ナプキン、失禁用パッドなどとして使用されるものと記載されている。
【０００７】
特許文献４に記載の吸収性製品は、製品本体の左右両側部に、縦方向に延びる立体ギャザー部が設けられ、この立体ギャザー部の縦方向への弾性収縮力により、製品本体は肌側表面が窪むように変形する。また、製品本体の後端部には、吸収体にエンボス加工を施すなどして折曲部が形成され、この折曲部に弾性部材が設けられて、前記折曲部が身体に向けて凸状に変形しやすくしたものが開示されている。
【特許文献１】特開平９−３１３５２９号公報
【特許文献２】特開２００２−３２０６３８号公報
【特許文献３】特開２００３−９３４４２号公報
【特許文献４】特開２００２−３０１０９７号公報
【発明の開示】
【発明が解決しようとする課題】
【０００８】
前記特許文献１と特許文献２に記載のものは、突堤または立体壁に設けられた弾性部材の弾性収縮力が、ナプキン本体の前端部と後端部に作用しているため、ナプキン本体の前端部から後端部にかけて、ナプキン本体にほぼ同じ曲げ応力が作用する。
【０００９】
しかし、女性の股部の縦方向での湾曲形状は、膣の前後領域において曲率半径が比較的大きく、膣口の中心から後方に６０ｍｍ程度離れた付近で前記曲率半径が小さくなり、さらに膣口の中心から後方に１２０ｍｍ程度離れた付近では、その曲率半径が、膣の前後領域よりも小さく且つ前記６０ｍｍ程度後方の付近よりも大きくなる。
【００１０】
前記特許文献１または特許文献２に記載の生理用ナプキンは、前端部と後端部との間でナプキン本端に作用する曲げ応力がほぼ均一であるため、前記のように場所によって曲率の相違する女性の股部の各部位に必ずしも確実に密着できず、いずれかの部位で身体とナプキン本体との間に隙間が形成されやすく、その結果、経血などの漏れが生じる心配がある。
【００１１】
前記特許文献３に記載のおむつは、立体ガード１０の縦方向の弾性収縮力をおむつ本体の前端部と後端部に作用させ、おむつ本体の前方部分と後方部分とで剛性差をもたせることによって、おむつ本体の曲率を場所よって変化させている。しかし、おむつ本体の屈曲形状をおむつ本体の剛性差に頼っているため、前方の剛性の高い部分が股部の前方部分において湾曲できず、その結果、前方部分が身体に確実に密着できないおそれがある。
【００１２】
また、特許文献４には、立体ギャザー部を形成するための弾性部材と、製品本体の後端部を折り曲げるための弾性部材の双方が設けられているが、前記両弾性部材は互いに異なる位置に配置され、一方の弾性部材は立体ギャザー部を立ち上げる機能のみを発揮し、他方の弾性部材は折曲部の形状を維持する機能を発揮するのみである。そして、製品本体の曲げ形状は立体ギャザー部に設けられた弾性部材のみで決まるため、製品本体が、身体の股部の形状に合うように変形できるものではない。
【００１３】
本発明は、前記従来の課題を解決するものであり、ナプキン本体の肌側表面に設けられた隆起部の組み合わせによって、ナプキン本体を、身体の股部の各部分の湾曲形状に倣うように変形しやすくした生理用ナプキンを提供することを目的としている。
【課題を解決するための手段】
【００１４】
本発明は、液を吸収保持する液吸収層を有するナプキン本体と、前記ナプキン本体の肌側表面に設けられた隆起部とを有する生理用ナプキンにおいて、
縦方向に間隔を開けて位置する前方起端と後方起端との間で弾性収縮力を発揮して、ナプキン本体を肌側表面が窪むように変形させるとともに、ナプキン本体の肌側表面から隆起する第１の隆起部と、縦方向に間隔を開けて位置する前方起端と後方起端との間で弾性収縮力を発揮して、ナプキン本体を肌側表面が窪むように変形させるとともに、ナプキン本体の肌側表面から隆起する第２の隆起部とを有しており、
前記第１の隆起部と前記第２の隆起部とが、横方向に重なる重複領域を有していることを特徴とするものである。
【００１５】
本発明の生理用ナプキンは、第１の隆起部の弾性収縮力と第２の隆起部の弾性収縮力によってナプキン本体が湾曲させられるが、前記重複領域に、第１の隆起部の弾性収縮力と第２の隆起部の弾性収縮力の双方が作用する。よって、ナプキン本体に作用する曲げ応力を場所によって相違させることができ、ナプキン本体の各部位を異なる曲率で湾曲させることが可能になる。
【００１６】
本発明は、例えば、前記第１の隆起部は、ナプキン本体の縦方向中心線に沿って位置し、前記第２の隆起部は、縦方向中心線から横方向の両側に離れて位置しているものである。
【００１７】
上記発明では、第１の隆起部が臀裂部に対向し、または臀裂部と肛門に対向し、あるいは膣に対向して、これら各部位に密着しやすくなる。また、第２の隆起部は、ナプキン本体に与えられた液の横漏れを防止する防漏壁として機能する。
【００１８】
また、本発明は、前記第１の隆起部と第２の隆起部は共に、ナプキン本体の肌側表面から立ち上がるシートと、前方起端と後方起端との間で弾性収縮力を発揮して前記シートを立ち上がらせる弾性部材とを有しているものである。
【００１９】
本発明においては、前記第１の隆起部における前記前方起端と後方起端との中間点が、前記第２の隆起部における前方起端と後方起端との中間点よりも後方に位置していることが好ましい。
【００２０】
例えば、前記第２の隆起部は、前記第１の隆起部よりも前方に位置し、前記重複領域で、第２の隆起部の一部と前記第１の隆起部の一部が重なっているものである。
【００２１】
この場合に、前記重複領域の前方において第２の隆起部が設けられている領域を前方領域、前記重複領域の後方において第１の隆起部が設けられている領域を後方領域としたときに、隆起部がナプキン本体に与える曲げ応力は、前方領域よりも重複領域の方が大きく、且つ後方領域よりも重複領域の方が大きいことが好ましい。さらには、前方領域において隆起部がナプキン本体に与える曲げ応力は、後方領域での前記曲げ応力と同じかまたはそれ未満であることが好ましい。
【００２２】
上記のように構成することにより、ナプキン本体は重複領域において小さい曲率半径となるように曲がりやすくなり、女性の股部の湾曲形状に倣いやすくなる。
【００２３】
また、ナプキン本体には、少なくとも前記前方領域に、縦方向に延びる圧縮線が設けられているものが好ましい。この圧縮線が設けられていると、ナプキン本体の前方領域が曲がりにくくなって、前方領域を比較的大きな曲率半径の湾曲形状に設定しやすくなる。
【００２４】
また、前記重複領域を前後に二分する中間点は、ナプキン本体の膣対向基準線よりも後方に位置していることが好ましく、前記第１の隆起部の前方起端は、前記膣対向基準線の後方１２０ｍｍ離れた位置よりも前方に存在することが好ましい。このように設定することにより、ナプキン本体は、膣よりも後方において対向する部分が、小さな曲率半径となるように曲がりやすくなる。
【００２５】
さらに本発明は、縦方向に間隔を開けて位置する前方起端と後方起端との間で弾性収縮力を発揮して、ナプキン本体を肌側表面が窪むように変形させる第３の隆起部が設けられており、
前記第１の隆起部における前記前方起端と後方起端との中間点および、前記第３の隆起部における前記前方起端と後方起端との中間点は、前記第２の隆起部における前方起端と後方起端との中間点よりも後方に位置しているものであってもよい。
【００２６】
この場合には、前記第１の隆起部と前記第２の隆起部、および前記第３の隆起部が、横方向に重なる重複領域を有しており、前記第３の隆起部は、前記第１の隆起部と前記第２の隆起部との間に位置していることが好ましい。
【発明の効果】
【００２７】
本発明は、隆起部の位置を組合せることにより、ナプキン本体に作用する曲げ応力が、場所によって相違するようになる。よって、ナプキン本体の曲がりやすさを場所によって変えることができ、ナプキン本体を女性の股部の形状に合わせるように変形させることが容易になる。
【発明を実施するための最良の形態】
【００２８】
図１は本発明の第１の実施の形態の生理用ナプキンを示すものであり、外力が作用していない自由状態を示す斜視図である。図２は、前記生理用ナプキンを平坦な状態に展開した状態を示す平面図である。図３は図１のＩＩＩ−ＩＩＩ線の断面図、図４は図１のＩＶ−ＩＶ線の断面図である。図５は前記生理用ナプキンに外力が作用していない自由状態を示す側面図、図６は女性の股部の形状を示す断面図である。
【００２９】
以下においては、生理用ナプキン１を構成する各要素の２つの表面のうち、身体に向く表面を「肌側表面」と呼び、反対側の表面を「着衣側表面」と呼ぶ。また、生理用ナプキンの長手方向を「縦方向」と呼び、前記縦方向と直交する方向を「横方向」と呼ぶ。各要素の寸法は、特に明記しない限り、縦方向に測定した寸法を「長さ寸法」とし、前記横方向に測定した寸法を「幅寸法」と呼ぶ。
【００３０】
第１の実施の形態の生理用ナプキン１は、ナプキン本体２と、ナプキン本体２の肌側表面に位置して第１の隆起部３１を形成する第１の表面構成要素３、およびナプキン本体２の肌側表面に位置して第２の隆起部１５を形成する一対の第２の表面構成要素１０を有している。
【００３１】
図３と図４に示すように、前記ナプキン本体２は、着衣側表面に位置する液遮断性の裏面シート２１と、その上に設置された液吸収層２２と、前記液吸収層２２を覆う液透過性の表面シート２３とを有している。前記第１の表面構成要素３は、縦方向中心線Ｏｙ上に設けられており、前記表面シート２３の一部によって構成されている。
【００３２】
図２に示すように、ナプキン本体２は、曲線形状の前縁部４と同じく曲線形状の後縁部５を有している。ナプキン本体２は、その長さ寸法Ｌ１が２８０〜４５０ｍｍの縦長形状である。前記液吸収層２２も縦長形状であり、液吸収層２２は、前記前縁部４よりもやや後方に位置する曲線形状の前端部２２ａと、前記後縁部５よりもやや前方に位置する曲線形状の後端部２２ｂとを有している。また液吸収層２２の左右両側端部２２ｃ，２２ｃは、縦方向中心線Ｏｙと平行な直線形状である。
【００３３】
ナプキン本体２の両側部の形状は、前方において、前記液吸収層２２の両側端部２２ｃ，２２ｃよりも左右両側に突出した前方フラップ部６，６と、前記前方フラップ部６，６よりも後方において左右両側に突出した折り返しフラップ部７，７と、前記折り返しフラップ部７，７よりもさらに後方において、左右両側に突出した後方フラップ部８，８とを有している。
【００３４】
ナプキン本体２の肌側表面の両側部には液遮断性あるいは撥水性の側部シート１１が設けられている。前記液吸収層２２の両側端部２２ｃ，２２ｃの外側において、側部シート１１と前記裏面シート２１は、ホットメルト型接着剤で接着されている。図３と図４に示すように、前記側部シート１１の一部は、液吸収層２２の両側部において前記表面シート２３の肌側表面に接着されて、側部シート１１の一部によって前記第２の表面構成要素１０が形成されている。
【００３５】
一対の第２の表面構成要素１０，１０は、縦方向中心線Ｏｙに対して横方向に均一な間隔を開けて形成されており、第２の表面構成要素１０と第２の表面構成要素１０とで挟まれた領域に表面シート２３が現れて、主な液吸収領域となっている。
【００３６】
図２に示すＸ１は、膣対向基準線であり、この膣対向基準線Ｘ１は、ナプキン本体２の前縁部４から後方へ１００〜２００ｍｍ離れた範囲に位置している。
【００３７】
ここで言う膣対向基準線Ｘ１とは、この生理用ナプキン１を装着するときに、ほぼ膣の中心に一致させる目安となる位置を意味している。この目安は、生理用ナプキンを肌側表面から見たときの全体形状や、肌側表面に形成されている圧縮線の形状などの全体のデザインによって誘導するものである。この実施の形態のように、左右両側に突出する折り返しフラップ部７，７が存在し、さらにナプキン本体２の肌側表面に縦方向に延びる圧縮線４１が形成されている場合には、通常はこの折り返しフラップ部７，７を縦方向に二分する中心位置が、膣口の中心部に対向させるための目安となる。あるいは、圧縮線４１の横方向の間隔が最も狭くなる部分が前記目安となる。
【００３８】
この実施の形態では、圧縮線４１の間隔が最も狭い位置を膣対向基準線Ｘ１としている。また、膣対向基準線Ｘ１は、折り返しフラップ部７，７のほぼ中心を通っている。
【００３９】
図２に示すＸ２は、肛門対向基準線であり、前記膣対向基準線Ｘ１を膣口の中心位置に一致させたときに、前記肛門対向基準線Ｘ２が肛門に対向する。この肛門対向基準線Ｘ２は、着用者の身体によって相違するが、通常は前記膣対向基準線Ｘ１から後方へ距離Ｌ２＝３０〜７０ｍｍだけ離れた位置にある。
【００４０】
前記ナプキン本体２を構成している前記裏面シート２１は、坪量が２３ｇ／ｍ２程度のポリエチレン樹脂などのフィルムであり、好ましくは透湿性のものが使用される。前記液吸収層２２は、粉砕パルプと高吸収性ポリマー（ＳＡＰ）とが混合され、さらに親水性のティッシュペーパで包まれているものであり、粉砕パルプの目付けは４００ｇ／ｍ２程度である。前記側部シート１１は、芯部がポリプロピレンで鞘部がポリエチレンの芯鞘型複合合成繊維で形成されたスパンボンド不織布である。
【００４１】
前記表面シート２３は、第１の液透過性シート２３ａと第２の液透過性シート２３ｂとが重ねられて構成されている。前記第１の液透過性シート２３ａと前記第２の液透過性シート２３ｂは、それぞれ目付けが２５ｇ／ｍ２程度のスルーエア不織布である。このスルーエア不織布を構成する繊維は、芯部がポリエチレンテレフタレート樹脂で、鞘部がポリエチレン樹脂の芯鞘型の複合合成繊維であり、前記芯部に酸化チタンなどの無機フィラーが混入されたものが使用される。前記第１の液透過性シート２３ａと第２の液透過性シート２３ｂは、親水性油剤をコーティングした親水性の繊維が８０％と、撥水性の油剤をコーティングした撥水性繊維２０％とが混綿されたもので形成されている。
【００４２】
前記第１の液透過性シート２３ａと前記第２の液透過性シート２３ｂは、液の透過を妨げない程度の坪量（例えば２ｇ／ｍ２）で塗工されたホットメルト型接着剤によって互いに離れないように接着されている。
【００４３】
前記表面シート２３を構成する前記液透過性シートは、スルーエア不織布に限られず、ポイントボンド不織布、スパンレース不織布あるいはスパンボンド不織布などであってもよいが、液の透過性を良好にするために繊維密度は０．１２ｇ／ｃｍ３以下であることが好ましい。前記液透過性シートは多数の液透過孔が形成された樹脂フィルムであってもよいし、第１の液透過性シート２３ａを液透過孔を有する前記樹脂フィルムで形成し、第２の液透過性シート２３ｂを、スルーエアなどの不織布で形成してもよい。また、表面シート２３にドット状のエンボス加工を施したり、表面シート２３を波状に賦形してもよい。
【００４４】
図３と図４に示すように、縦方向中心線Ｏｙの左右両側に等距離を空けた位置に、縦方向に並行に延びる接合境界線３７，３７が設けられている。この接合境界線３７，３７よりも左右両外側において、前記表面シート２３は、液吸収層２２の肌側表面に接着されている。そして、接合境界線３７と３７との間では、表面シート２３が液吸収層２２に接合されておらず、接合境界線３７と３７との間に位置する表面シート２３の一部によって、前記第１の表面構成要素３が形成されている。
【００４５】
第１の表面構成要素３では、縦方向中心線Ｏｙ上に延びる弾性部材３６が、第１の液透過性シート２３ａと第２の液透過性シート２３ｂとの間に挟まれてホットメルト型接着剤によって接着されている。弾性部材３６は、図１に示す前方起端３４よりも前方に延びる部分が、ナプキン本体２の肌側表面から離れないように接合され、後方起端３５よりも後方に延びる部分が、ナプキン本体２の肌側表面から離れないように固定されている。
【００４６】
図３に示すように、前方起端３４とナプキン本体２の前縁部４との間では、接合境界線３７と接合境界線３７との間に位置する表面シート２３が扁平に折り畳まれて前方偏平部３２が形成されている。この前方偏平部３２は、ナプキン本体２の肌側表面から離れないように固定されている。後方起端３５とナプキン本体２の後縁部５との間では、表面シート２３が偏平に折畳まれて後方偏平部３３が形成され、この後方偏平部３３は、ナプキン本体２の肌側表面から離れないように固定されている。
【００４７】
前記弾性部材３６の弾性収縮力によって、前方起端３４と後方起端３５とを接近させる弾性張力が作用し、図１に示すように、ナプキン本体２は肌側表面が窪むように湾曲変形する。その結果、前方起端３４と後方起端３５との間で、弾性部材３６がナプキン本体２の肌側表面から離れ、表面シート２３を構成する第１の液透過性シート２３ａと第２の液透過性シート２３ｂとが、前記接合境界線３７，３７を起線として立ち上がって立体形状となる。そして、第１の表面構成要素３では、前方起端３４と後方起端３５との間に、図４に示すように内部が空洞の第１の隆起部３１が形成されている。第１の隆起部３１では、弾性部材３６が設けられている部分が頂部３１ａとなり、この頂部３１ａは、縦方向中心線Ｏｙ上に形成される。
【００４８】
第１の表面構成要素３では、第１の液透過性シート２３ａと第２の液透過性シート２３ｂとの間に、一対の側部弾性部材３９が接合されている。図３に示すように、前方偏平部３２と後方偏平部３３では、側部弾性部材３９が、折畳まれた各偏平部３２，３３の両側縁部に位置している。
【００４９】
前方扁平部３２では、それぞれの側部弾性部材３９の前方部分がナプキン本体２に接合固定されているが、この側部弾性部材３９がナプキン本体２から離れる起点となる前方接続部は、前記前方起端３４よりも後方に位置している。同様に後方扁平部３３では、それぞれの側部弾性部材３９の後方部分がナプキン本体２に接合固定されているが、この側部弾性部材３９がナプキン本体２から離れる後方接続部は、前記後方起端３５よりも前方に位置している。
【００５０】
前記前方接続部と後方接続部との間で、それぞれの側部弾性部材３９がナプキン本体２の肌側表面から離れ、図４に示すように、側部弾性部材３９，３９は横方向に互いに離れて位置し、且つ前記弾性部材３６よりもナプキン本体２の肌側表面に近い位置となる。
【００５１】
前記弾性部材３６および側部弾性部材３９は、ポリウレタン弾性糸で形成されている。前方起端３４と後方起端３５との間に作用する弾性部材３６の弾性張力は、前方接続部と後方接続部との間に作用する個々の側部弾性部材３９の弾性張力よりも小さいことが好ましい。前記弾性部材３６の繊度は２４０〜１００００ｄｔｅｘ、好ましくは１８００〜８０００ｄｔｅｘである。前記側部弾性部材３９の繊度は１２０〜６０００ｄｔｅｘ、好ましくは２４０〜４０００ｄｔｅｘである。また、中央弾性部材３６と側部弾性部材３９として、細い弾性糸を束ねたり縒ったものを使用することができ、この場合、個々の弾性部材は、細い弾性糸の繊度の合計が前記範囲内にあればよい。
【００５２】
前記弾性部材３６および側部弾性部材３９は、天然ゴムや合成ゴムで形成された糸ゴムなどであってもよいし、または伸縮性のフィルム、伸縮性の不織布、発泡ウレタン樹脂などの伸縮性の発泡樹脂を細く裁断したものであってもよい。前記弾性部材３６および側部弾性部材３９は、縦方向に１．２倍以上、好ましくは１．５倍伸ばされた状態で前記第１の液透過性シート２３ａと第２の液透過性シート２３ｂとの間に接着固定されている。
【００５３】
図３と図４に示すように、液吸収層２２の両側部の肌側表面で、前記側部シート１１が２枚重ねに折畳まれて、前記第２の表面構成要素１０が形成されている。第２の表面構成要素１０では、２枚重ねの側部シート１１の間に、４本の弾性部材１２ａ，１２ｂ，１２ｃおよび１２ｄが挟まれてホットメルト型接着剤で接着されている。
【００５４】
図２に示すように、第２の表面構成要素１０では、ナプキン本体２の前方に、斜めに延びる前方接合線１３が形成され、前方接合線１３から前縁部４までの間が前方接合部１６となっている。この前方接合部１６では、側部シート１１が折畳まれてナプキン本体２の肌側表面に接着固定されている。ナプキン本体２の後方には、斜めに延びる後方接合線１４が設けられ、この後方接合線１４から後縁部５までの間が後方接合部１７となっている。この後方接合部１７では、側部シート１１が折畳まれて、ナプキン本体２の肌側表面に接着固定されている。
【００５５】
図４には、後方接合部１７が示されているが、この後方接合部１７では、弾性部材１２ａが横方向の外側に向けられ、弾性部材１２ｃと弾性部材１２ｄの部分で側部シート１１が折られてナプキン本体２の肌側表面に固定されている。前方接合部１６においても同様に、側部シート１１が折畳まれて接合されている。
【００５６】
前方接合線１３の一端である前方起端１３ａと、後方接合線１４の一端である後方起端１４ａとの間に、前記弾性部材１２ａ〜１２ｄの弾性収縮力が作用し、ナプキン本体２に、前方起端１３ａと後方起端１４ａとを接近させようとする曲げ応力が作用し、ナプキン本体２は、肌側表面が窪むように湾曲変形させられる。そして、前方起端１３ａと後方起端１４ａとの間で、弾性部材１２ａ〜１２ｄが、ナプキン本体２の肌側表面から離れ、側部シート１１が、ナプキン本体２の肌側表面から立ち上がって第２の隆起部１５が形成される。
【００５７】
図３に示すように、第２の隆起部１５は、弾性部材１２ａが設けられた部分が頂部１５ａとなり、弾性部材１２ｃが設けられた部分が屈曲部１５ｂとなって、第２の隆起部１５は、断面形状がほぼくの字形状の防漏壁となる。
【００５８】
前記弾性部材１２ａ〜１２ｄは、前記弾性部材３６および側部弾性部材３９に関して説明したものと同種のものが使用可能である。弾性部材１２ａ〜１２ｄのそれぞれの弾性張力は、第１の隆起部３１に設けられた弾性部材３６の弾性張力よりも小さいことが好ましい。例えば弾性部材１２ａ〜１２ｄのそれぞれは、繊度が１２０〜６０００ｄｔｅｘ、好ましくは２４０〜４０００ｄｔｅｘのポリウレタン弾性糸で形成される。前記弾性部材１２ａ〜１２ｄは、前記前方起端１３ａと前記後方起端１４ａとの間において、縦方向に１．２倍以上、好ましくは１．５倍伸ばされた状態で前記側部シート１１に接着固定されている。
【００５９】
図１と図２に示すように、第１の隆起部３１の前方起端３４は、ナプキン本体２の膣対向基準線Ｘ１と同じ位置、またはその近傍に位置している。また、後方起端３５は、膣対向基準線Ｘ１よりも後方に１２０〜２５０ｍｍ程度離れた位置にある。この生理用ナプキン１が女性に装着されると、前方起端３４が膣口またはその近傍に対向し、後方起端３５が尾てい骨またはその近傍に対向する。そして、第１の隆起部３１は、膣口から肛門さらには肛門よりも後方の臀裂部に対向する。
【００６０】
第２の隆起部１５のそれぞれの前方起端１３ａは、膣対向基準線Ｘよりも前方に位置し、第１の隆起部３１の前方起端３４よりも前方に位置している。また、第２の隆起部１５のそれぞれの後方起端１４ａは、肛門対向基準線Ｘ２よりも後方で、且つ第１の隆起部３１の後方起端３５よりも前方に位置している。
【００６１】
図２に示すように、ナプキン本体２の裏面シート２１を平面な状態としたときの、第１の隆起部３１の前方起端３４から後方起端３５までの長さ寸法Ｌａは、例えば１９０ｍｍであり、前記Ｌａは５０〜２５０ｍｍの範囲で設けられることが好ましい。それぞれの第２の隆起部１５の前方起端１３ａから後方起端１４ａまでの長さ寸法Ｌｂは２００であり、前記Ｌｂは５０〜２５０ｍｍの範囲で設けられることが好ましい。そして、長さＬｃで示す重複領域において、第１の隆起部３１と第２の隆起部１５は横方向において重なって位置している。
【００６２】
第１の隆起部３１の前方起端３４と後方起端３５との間の距離を二分する中間点は、肛門対向基準線Ｘ２よりも後方に位置している。第２の隆起部１５の前方起端１３ａと後方起端１４ａとの間の距離を二分する中間点は、膣対向基準線Ｘ１と同じ位置、または膣対向基準線Ｘ１と肛門対向基準線Ｘ２との間に設けられている。また、第１の隆起部３１の前記中間点は、第２の隆起部１５の前記中間点よりも後方に位置している。
【００６３】
第１の隆起部３１に設けられた弾性部材３６と側部弾性部材３９とによって、前方起端３４と後方起端３５とを引き付ける力、すなわち第１の隆起部３１の弾性収縮力は０．５〜６Ｎである。１つの第２の隆起部１５に設けられた弾性部材１２ａ〜１２ｄの張力の合計によって前方起端１３ａと後方起端１４ａとを引き付ける力、すなわち１つの第２の隆起部１５の弾性収縮力は０．１５〜２Ｎであり、一対の第２の隆起部１５による前記弾性収縮力の合計は、０．３〜４Ｎである。一対の第２の隆起部１５による前記弾性収縮力の合計は、第１の隆起部３１の弾性収縮力よりも小さいことが好ましい。
【００６４】
前記のように設定すると、第１の隆起部３１の弾性収縮力によってナプキン本体２を、肌側表面が窪むように湾曲変形させることができ、第２の隆起部１５によっても、ナプキン本体２を、肌側表面が窪むように湾曲させることができる。
【００６５】
図５では、第１の隆起部３１と第２の隆起部１５とが横方向に重なる重複領域が（ｉ）で示されている。また、第１の隆起部３１の前方起端３４から、第２の隆起部１５の前方起端１３ａまでの前方領域が（ｉｉ）で示され、第１の隆起部３１の後方起端３５から、第２の隆起部１５の後方起端１４ａまでの後方領域が（ｉｉｉ）で示されている。ナプキン本体２を湾曲させるように作用する力は、前方領域（ｉｉ）＜後方領域（ｉｉｉ）＜重複領域（ｉ）であり、ナプキン本体２に作用する曲げ応力も、前方領域（ｉｉ）＜後方領域（ｉｉｉ）＜重複領域（ｉ）である。
【００６６】
よって、図５に示すように、生理用ナプキン１を、外力を与えない自由状態としたときに、ナプキン本体２の肌側表面の個々の位置での曲率半径の平均値は、「前方領域の曲率半径の平均値（Ｒｉｉ）」＞「後方領域の曲率半径の平均値（Ｒｉｉｉ）」＞「重複領域の曲率半径の平均値（Ｒｉ）」となる。あるいは、自由状態において各部位の曲率が前記の不等式の関係にならなくても、生理用ナプキン１を下着の内面に接着して身体に装着したときに、ナプキン本体２は、「前方領域の曲率半径の平均値（Ｒｉｉ）」＞「後方領域の曲率半径の平均値（Ｒｉｉｉ）」＞「重複領域の曲率半径の平均値（Ｒｉ）」となるように変形しやすくなる。
【００６７】
図２に示すように、ナプキン本体２を平坦な状態としたときの、重複領域（ｉ）の長さＬｃは、１５〜２００ｍｍの範囲であることが好ましく、さらには３０ｍｍ以上であることが好ましい。前記範囲に設定すると、前述のように、重複領域（ｉ）と前方領域（ｉｉ）および後方領域（ｉｉｉ）において、曲率半径の平均値の関係を前記のように設定しやすくなる。
【００６８】
図６は、身長１６８ｃｍで体重が５６ｋｇ、ＢＭＩ１９．８の女性の股部の形状を断面で示すものである。なお。ＢＭＩは、（体重（ｋｇ）÷（身長（ｍ））２）で求められる無次元の係数である。
【００６９】
図６に示す内側曲線５１は、女性の股間部から臀裂部５７の溝の底部に向って延びる断面線であり、外側曲線５２は、大腿部の付け根から臀部の表面に向って延びる線である。前記内側曲線５１の前方に存在する膣を符号５４で示す。同様に、肛門を符号５５で示し、尾てい骨を符号５６で示している。前記膣５４は大陰唇を有する範囲を意味している。
【００７０】
図６に示すように、前記内側曲線５１に沿って、膣口中心（ｂ）から後方へ６０ｍｍ離れた位置を（ａ）とし、膣口中心（ｂ）から後方へ１２０ｍｍ離れた位置を（ｃ）としたときに、内側曲線５１と外側曲線５２の双方において、その曲率半径は、位置（ａ）＜位置（ｃ）＜膣口中心（ｂ）の順である。
【００７１】
よって、図５に示す重複領域（ｉ）を、前記位置（ａ）を含む領域に対向させ、前方領域（ｉｉ）を、膣口中心（ｂ）を含む領域に対向させ、後方領域（ｉｉｉ）を、前記位置（ｃ）を含む領域に対向させると、図５に示す湾曲形状の生理用ナプキン１が、女性の股部の各部位の湾曲形状に倣うようにフィットしやすくなる。
【００７２】
生理用ナプキン１が図６に示すような女性の股部にフィットしやすくするためには、前記重複領域（ｉ）が、図２に示す膣対向基準線Ｘ１よりも後方に６０ｍｍ離れた位置に存在していることが好ましく、または少なくとも膣対向基準線Ｘ１よりも後方に４０ｍｍ離れた位置から１２０ｍｍ離れた位置までの間に、重複領域（ｉ）の少なくとも一部が存在していることが好ましい。すなわち、第１の隆起部３１の前方起端３４が、膣対向基準線Ｘ１から後方へ１２０ｍｍ以上離れることがなく、第２の隆起部１５の後方起点１４ａが、膣対向基準線Ｘ１よりも後方へ４０ｍｍ以上離れた位置にあり、且つ長さＬｃが１５ｍｍ以上で好ましくは３０ｍｍ以上の重複領域（ｉ）が形成されていることが好ましい。
【００７３】
また、ナプキン本体２の肌側表面から、第１の隆起部３１の頂部３１ａまでの高さ寸法Ｈ１（図５参照）の最大値は１０〜６０ｍｍの範囲が好ましい。前記範囲であれば、図６に示す臀裂部５７の溝内に第１の隆起部３１を密着させやすい。また、図４に示している第１の隆起部３１の頂部３１ａの幅寸法（弾性部材３６が設けられている部分の幅寸法）Ｗ２を１〜３ｍｍの範囲に設定すると、第１の隆起部３１の頂部３１ａが臀裂部５７内に入り込みやすくなる。
【００７４】
また、ナプキン本体２の肌側表面から第２の隆起部１５の頂部１５ａまでの高さ寸法Ｈ２（図５参照）の最大値は、５〜５０ｍｍ程度であることが好ましい。前記範囲であると、第２の隆起部１５の頂部１５ａが、膣５４の両側部において肌に接触して、経血の横漏れを抑制するための防漏壁として機能しやすくなる。
【００７５】
図１ないし図４に示すように、ナプキン本体２の肌側表面には、前記表面シート２３と液吸収層２２を一緒に圧縮して加熱して形成した圧縮線４１が形成されている。この圧縮線４１は、第２の隆起部１５の前方起端１３ａの前方から、第１の隆起部３１の後方起端３５よりも後方の位置まで連続して形成されている。圧縮線４１は、液吸収層２２を高密度に圧縮した部分とそれよりも低い密度に圧縮した部分とが、縦方向に向けて交互に形成されている。
【００７６】
圧縮線４１は剛性付与要素として機能し、この圧縮線４１を設けることによって、ナプキン本体２が、弾性部材３６と側部弾性部材３９、および弾性部材１２ａ〜１２ｄの弾性収縮力に対抗する剛性を得ることができる。また、この圧縮線４１は必ずしも前記範囲に形成されている必要はないが、少なくとも前記前方領域（ｉｉ）に設けられていることが好ましい。前方領域（ｉｉ）に圧縮線４１が設けられていると、前方領域（ｉｉ）の曲率半径の平均値（Ｒｉｉ）を比較的大きい状態に設定しやすくなる。
【００７７】
図３と図４に示すように、ナプキン本体２では、前記裏面シート２１の着衣側表面に、下着に固着させるための感圧接着剤層２４が設けられている。前記感圧接着剤層２４は、縦方向中心線Ｏｙの左右両側において前記縦方向中心線Ｏｙと並行に設けられている。また、図示省略するが、前記折り返しフラップ部７，７が形成されている領域、および前記後方フラップ部８，８が形成されている領域においても、前記裏面シート２１の着衣側表面に感圧接着剤層が設けられている。
【００７８】
前記生理用ナプキン１を使用するときには、ナプキン本体２の着衣側表面に設けられた感圧接着剤層２４を下着の内面に接着する。また、折り返しフラップ部７，７を下着のクロッチ部の両側縁部から外面に向けて折り返し、折り返しフラップ部７，７の着衣側表面に設けられた感圧接着剤層をクロッチ部の外面に接着する。また後方フラップ部８，８の着衣側表面に設けられた感圧接着剤層を下着の後身頃の下部内面に接着する。
【００７９】
使用者が前記生理用ナプキン１を下着に固着するときには、前記膣対向基準線Ｘ１を位置決めの目安とし、前記中心位置がほぼ膣の前後方向での中心部に一致するように着用される。この生理用ナプキン１は、外力を与えない自由な状態で、図５に示すように、膣対向基準線Ｘ１よりも後方に位置する重複領域（ｉ）が小さな曲率半径の平均値（Ｒｉ）となるように変形しやすい。または、下着と共に身体に装着した時点で、重複領域（ｉ）が小さな曲率半径となるように変形しやすくなる。
【００８０】
よって、ナプキン本体２が図６に示す女性の股部の各部位の曲面形状に沿って装着されやすくなる。すなわち、前方領域（ｉｉ）が比較的大きな曲率半径で膣およびその周辺に対向し、第１の表面構成要３の前方偏平部３２および第１の隆起部３１の前方部分が膣に対向する。また第２の隆起部１５が、膣の両側部で立ち上がって股間部に安定して密着できるようになる。また生理用ナプキン１の重複領域（ｉ）が肛門の後方に位置する身体の小さな曲率半径の湾曲部に対向し、後方領域（ｉｉｉ）が、身体のさらに後方に対向する。そして、第１の隆起部３１が肛門および臀裂部５７に密着しやすくなる。
【００８１】
膣口から出た経血は、前記液透過性シート２３ａ，２３ｂの繊維間を自重で通過し、その下に位置する液吸収層２２の親水力によって速やかに吸収保持される。第１の隆起部３１が臀裂部に密着しやすく、前記第２の隆起部１５が防漏壁として機能するため、経血は液吸収層２２で吸収されやすくなり、横漏れや後方への漏れが生じにくくなる。
【００８２】
次に、本発明の生理用ナプキンの他の実施の形態を説明する。
図７は本発明の第２の実施の形態の生理用ナプキン１０１を示すものであり、図４に相当する断面図である。
【００８３】
第２の実施の形態の生理用ナプキン１０１は、ナプキン本体２が前記第１の実施の形態と同じ構造であるが、第１の表面構成要素１０３では、第１の液透過性シート２３ａと第２の液透過性シート２３ｂとの間に、２本の弾性部材３６，３６が接着固定されている。そして、弾性部材３６と弾性部材３６との中間に位置する前記表面シート２３の一部が、液吸収層２２の肌側表面に接着されている。
【００８４】
その結果、前方起端３４と後方起端３５との間において、ナプキン本体２の肌側表面から２つの第１の隆起部１３１が立ち上がった形状となる。また、第２の表面構成要素１０および第２の隆起部１５の構成は、第１の実施の形態と同じである。
【００８５】
図８は本発明の第３の実施の形態の生理用ナプキン２０１を示すものであり、図４に相当する断面図である。
【００８６】
第３の実施の形態の生理用ナプキン２０１の表面構成要素２０３は、前方起端３４と後方起端３５との間の少なくとも一部において、第１の隆起部２３１がナプキン本体２の肌側表面から離れており、第１の隆起部２３１がナプキン本体２上で横方向へ自由に動くことができるようになっている。
【００８７】
第１の隆起部２３１では、縦方向中心線Ｏｙ上に位置する弾性部材３６が、前記第１の液透過性シート２３ａと第２の液透過性シート２３ｂとの間に挟まれて接着固定されている。また、第１の液透過性シート２３ａと第２の液透過性シート２３ｂの縁部どうしが接合されて、第１の隆起部２３１は、内部が空洞の筒構造となっている。
【００８８】
また、ナプキン本体２０２は、液吸収層２２の肌側表面が液透過性の表面シート１２３で覆われている。前記表面シート１２３は、前記第１の液透過性シート２３ａや第２の液透過性シート２３ｂと同等の素材で形成されている。
【００８９】
前記前方起端３４よりも前方、および後方起端３５よりも後方では、前記第１の液透過性シート２３ａと第２の液透過性シート２３ｂとが、扁平状態に折畳まれて、第１の実施の形態と同様の前方扁平部３２と後方扁平部３３とが形成されている。
【００９０】
第３の実施の形態の生理用ナプキン２０１では、第１の隆起部２３１が臀裂部などに密着した状態で、身体と下着とが位置ずれし、下着に固着されたナプキン本体２０２が左右両側に動いたとしても、第１の隆起部２３１は身体に密着した状態を維持しやすい。
【００９１】
図９は本発明の第４の実施の形態の生理用ナプキン３０１を示している。
この生理用ナプキン３０１のナプキン本体２０２は、前記図８に示した第３の実施の形態と同じものである。この実施の形態の表面構成要素３０３においても、前方起端３４と後方起端３５との間の少なくとも一部において、第１の隆起部３３１がナプキン本体２０２の肌側表面から離れて自由に動けるようになっている。
【００９２】
第１の隆起部３３１は、断面形状が逆Ｖの字形状であり、液透過性シート３２３が折り返されて形成されている。この液透過性シート３２３の間には、縦方向中心線Ｏｙ上に位置する弾性部材３６が固定されているとともに、この弾性部材３６の左右両側に等距離を空けた位置に側部弾性部材３３６，３３６が設けられ、この側部弾性部材３３６，３３６も液透過性シート３２３の間に固定されている。
【００９３】
図１０は、第５の実施の形態の生理用ナプキン４０１を示している。
この生理用ナプキン４０１では、ナプキン本体２の構造が第１の実施の形態と同じである。第１の表面構成要素４０３で形成される第１の隆起部４３１は、表面シート２３によって、断面がＴ字形状となるように形成されている。
【００９４】
図１１（Ａ）（Ｂ）は、第１の表面構成要素で形成される第２の隆起部の他の実施の形態を示している。
【００９５】
図１１（Ａ）に示す生理用ナプキン５０１Ａでは、第２の隆起部１１５の構造として、側部シート１１内に弾性部材としてシート状弾性体１１２が設けられ、このシート状弾性体１１２により、前方起端と後方起端とが引き付けられている。シート状弾性体１１２は、合成ゴムバンド、伸縮性不織布、伸縮性のある発泡樹脂シートなどである。
【００９６】
図１１（Ｂ）に示す生理用ナプキン５０１Ｂでは、第２の隆起部２１５が、複数の弾性部材２１２を有して、断面がＴ字形状に立ち上がる。
その他、第２の隆起部の立体形状はどのようなものであってもよい。
【００９７】
図１２は、本発明の第６の実施の形態の生理用ナプキン６０１を示すものであり、図２にと同様に平面形状に展開した平面図である。
【００９８】
この生理用ナプキン６０１は、ナプキン本体６０２の肌側表面に、実施例１と同じ第１の表面構成要素３および第１の隆起部３１と、第２の表面構成要素１０および第２の隆起部１５とが設けられている。
【００９９】
第６の実施の形態のナプキン本体６０２と第１の実施の形態のナプキン本体２との相違点は、ナプキン本体６０２の肌側表面に設けられた圧縮線の形状のみである。図１２に示すナプキン本体６０２では、図２に示すのと同じパターン形状の圧縮線４１の左右両側に補助圧縮線１４２，１４２が設けられている。補助圧縮線１４２は、膣対向基準線Ｘ１を中心とする前後方向の所定範囲に形成されている。すなわち、補助圧縮線１４２は、第１の隆起部３１の前方起端３４よりも前方に延びているとともに、補助圧縮線１４２の後端１４２ａは、第１の隆起部３１と第２の隆起部１５とが横方向において重複している長さＬｃの重複領域内の途中位置まで延びている。図１２に示す実施の形態では、前記後端１４２ａが、前記重複領域の長さ寸法Ｌｃのほぼ中心に位置している。
【０１００】
前方起端３４よりも前方において第２の隆起部１５の弾性収縮力が作用する前方領域では、圧縮線１４１と補助圧縮線１４２とが設けられて、ナプキン本体６０２の曲げ剛性が比較的高くなっているため、この前方領域では湾曲形状に変形したときの曲率半径が比較的大きくなる。また、長さＬｃの重複領域では、その前方部分に圧縮線１４１と補助圧縮線１４２が設けられ、後方部分に補助圧縮線１４２が設けられていない。よって、重複領域では、前方補助圧縮線１４２の後端１４２ａを境としてナプキン本体６０２が屈曲しやすくなる。
【０１０１】
そのため、ナプキン本体６０２は、肛門対向基準線Ｘ２またはそれよりもやや後方部分において、小さい曲率半径となるように湾曲しやすくなり、女性の股部の湾曲形状にフィットしやすくなる。
【０１０２】
図１３は、本発明の第７の実施の形態の生理用ナプキン７０１に外力が作用していない状態を示す斜視図であり、図１４は図１３のＸＩＶ−ＸＩＶ線の断面図、図１５は図１３のＸＶ−ＸＶ線の断面図である。
【０１０３】
生理用ナプキン７０１のナプキン本体７０２は、前記第１の実施の形態と実質的に同じである。
【０１０４】
第２の表面構成要素１０および第２の隆起部１５の形状は、第１の実施の形態と同じであり、第２の表面構成要素１０は、側部シート１１に、弾性部材１２ａ〜１２ｄが接合されて構成されている。そして、第２の隆起部１５は、前方起端１３ａと後方起端１４ａとの間で、ナプキン本体２の肌側表面から立ち上がって防漏壁が形成されている。第２の隆起部１５の長さはＬｂである。
【０１０５】
第１の表面構成要素３および第１の隆起部３１の形状も、第１の実施の形態とほぼ同じであり、第１の表面構成要素３は、表面シート２３と弾性部材３６および一対の側部弾性部材３９によって構成されている。第１の表面構成要素３は、前方起端３４と後方起端３５との間でナプキン本体２の肌側表面から隆起して第１の隆起部３１が形成されている。前方起端３４の前方には前方扁平部３２が形成され、後方起端３５よりも後方には後方扁平部３３が形成されている。図１３では、第１の隆起部３１の長さをＬａ１で示している。この長さＬａ１は、図２に示す第１の隆起部３１の長さＬａよりもわずかに短く、図１３では、前方起端３４が、膣対向基準線Ｘ１よりもやや後方で肛門対向基準線Ｘ２の近傍に位置している。
【０１０６】
図１３に示す生理用ナプキン７０１では、第１の隆起部３１と第２の隆起部１５とが横方向に重なる重複領域の長さ寸法がＬｃ１である。前述のようにこの長さＬｃ１は、１５ｍｍ以上であることが好ましく、３０ｍｍ以上であることがさらに好ましい。
【０１０７】
この生理用ナプキン７０１では、ナプキン本体２の肌側表面に、一対の第３の表面構成要素７０３が設けられている。この第３の表面構成要素７０３は、縦方向中心線Ｏｙを挟んで左右両側に位置し、且つ第１の表面構成要素３と第２の表面構成要素１０との間に位置している。
【０１０８】
図１４と図１５に示すように、ナプキン本体７０２の肌側表面の両側部には、表面シート２３の上に第２の表面シート７２３が設けられている。この第２の表面シート７２３は、親水性で液透過性であり、前記表面シート２３と同様に、第１の液透過性シートと第２の液透過性シートとが積層されて構成されている。また、第３の表面構成要素７０３では、前記第１の液透過性シートと第２の液透過性シートとの間に、複数の弾性部材７３６が縦方向に伸ばされた状態で接合されている。
【０１０９】
図１３と図１５に示すように、第３の表面構成要素７０３では、前方起端７３４と後方起端７３５との間で、前記弾性部材７３６および第２の表面シート７２３が、ナプキン本体７０２の肌側表面から立ち上がって一対の第３の隆起部７３１が形成されている。
【０１１０】
図１３では、第３の隆起部７３１の長さ寸法をＬｄで示している。第３の隆起部７３１の前方起端７３４は、第１の隆起部３１の前方起端３４と前方においてほぼ同じ位置にある。その結果、第３の隆起部７３１の前方起端７３４と後方起端７３５を前後に二分する中間点は、第２の隆起部１５の中間点よりも後方に位置している。また、長さＬｃ１の重複領域では、第１の隆起部３１と第２の隆起部１５および第３の隆起部７３１の全てが横方向において重なっている。さらに、第２の隆起部１５の後方起端１４ａよりも後方では、第１の隆起部３１の一部と第３の隆起部７３１の一部とが横方向において重なって配置された領域が存在している。
【０１１１】
この生理用ナプキン７０１では、長さＬｃ１の重複領域に、第１の隆起部３１と第２の隆起部１５および第３の隆起部７３１の弾性収縮力が全て作用することで、前記重複領域においてナプキン本体２に大きな曲げ応力が作用する。また第２の隆起部１５の後方起端１４ａよりも後方領域には、第１の隆起部３１と第３の隆起部７３１の双方の弾性収縮力が作用し、また第１の隆起部３１の前方起端３４よりも前方領域では、第２の隆起部１５の弾性収縮力のみが作用する。
【０１１２】
よって、ナプキン本体２に作用する曲げ応力は、重複領域＞後方領域＞前方領域となるように設定しやすくなり、ナプキン本体２は、肛門対向基準線Ｘ２よりも後方において小さな曲率半径で変形し、図６に示す女性の股部の形状にフィットしやすくなる。
【０１１３】
なお、前記第３の隆起部７３１の前方起端７３４は、必ずしも第１の隆起部３１の前方起端３４と同じ位置にある必要はなく、前方起端７３４が前方起端３４のよりも前方に位置し、または後方に位置してもよい。ただし、第１の隆起部３１と第２の隆起部１５および第３の隆起部７３１との重複領域が、１５ｍｍ以上存在していることが好ましく、さらに好ましくは３０ｍｍ以上である。
【０１１４】
この生理用ナプキン７０１が装着されると、第１の隆起部３１が肛門から後方の臀裂部内に入り込んで密着しやすくなるとともに、その両側で第３の隆起部７３１が、臀部の表面に密着するため、就寝時などにおける経血の後方での漏れを防止しやすくなる。
【０１１５】
図１６は本発明の第８の実施の形態の生理用ナプキン８０１を平面状態に展開した平面図、図１７は前記生理用ナプキン８０１に外力を作用させていない自由状態を示す側面図である。
【０１１６】
第８の実施の形態の生理用ナプキン８０１のナプキン本体２は、第１の実施の形態に設けられたものと実質的に同じである。また、第１の表面構成要素３および第１の隆起部３１の形状、および第２の表面構成要素１０および第２の隆起部１５の基本的な構造は第１の実施の形態と同じである。ただし、第１の隆起部３１と第２の隆起部１５の長さ寸法が第１の実施の形態と相違している。
【０１１７】
図１６に示すように、生理用ナプキン８０１では、第１の隆起部３１の長さ寸法Ｌｅが、図２に示した第１の実施の形態での長さ寸法Ｌａよりもやや短く、生理用ナプキン８０１では、前方起端３４が肛門対向基準線Ｘ２と同じ位置またはその近傍に位置している。また、生理用ナプキン８０１では、第２の隆起部１５の長さ寸法Ｌｆが第１の実施の形態での長さ寸法Ｌｂよりもやや長く、その後方起端１４ａは、前記第１の隆起部３１の後方起端３５とほぼ同じ位置にある。
【０１１８】
その結果、第１の隆起部３１の前方起端３４よりも前方領域では、ナプキン本体２に第２の隆起部１５の弾性収縮力のみが作用し、第１の隆起部３１が設けられている領域はその長さＬｅの全長において、第２の隆起部１５と重なる重複領域となっている。
【０１１９】
この実施の形態では、ナプキン本体２に作用する曲げ応力が、重複領域＞前方領域であり、図１７に示すように、生理用ナプキン８０１は、前方起端３４よりも前方において比較的曲率半径が大きく、前方起端３４と後方起端３５の間において、比較的小さい曲率半径で変形しやすくなる。前方よりも後方において小さい曲率半径となるように変形しやすくすることにより、図６に示す女性の股部において、生理用ナプキン８０１がフィットしやすくなる。
【０１２０】
図１８は本発明の第９の実施の形態の生理用ナプキン９０１を平面状態に展開した平面図、図１９は生理用ナプキン９０１を、外力を作用させない自由状態で示した側面図である。
【０１２１】
第９図の実施の形態の生理用ナプキン９０１のナプキン本体９０２は、裏面シート２１、液吸収層２２および表面シート２３および側部シート１１を有し、前方フラップ部９０６、折り返しフラップ部９０７および後方フラップ部９０８を有している。
【０１２２】
ただし、ナプキン本体９０２は、前縁部９０４から後縁部９０５までの長さ寸法が、図２に示す第１の実施の形態のナプキン本体２の長さ寸法Ｌ１よりも短い。そして、折り返しフラップ部９０７が縦方向における中央部分に形成されており、膣対向基準線Ｘ１は、ナプキン本体９０２を前後に二分する中心位置にある。この生理用ナプキン９０１は、膣対向基準線Ｘ１を、図６に示す膣口の中心位置（ｂ）に対向させたときに、前縁部９０４が恥骨のやや前方に対向し、後縁部９０５が、肛門５５よりもやや後方の位置（ａ）付近またはそれよりもやや後方に対向する。
【０１２３】
ナプキン本体９０２の肌側表面には、表面シート２３によって縦方向中心線Ｏｙ上に位置する第１の表面構成要素９０３が形成されている。この第１の表面構成要素９０３は、表面シート２３と、図３に示したのと同様の弾性部材３６および側部弾性部材３９で構成されている。
【０１２４】
図１８に示すように、第１の表面構成要素９０３は、前方に第１の前方起端９３４ａと第１の後方起端９３５ａとを有しており、図１９に示すように、第１の前方起端９３４ａと第１の後方起端９３５ａとの間において、第１の隆起部９３１ａが縦方向へ弾性収縮力を発揮するとともに、ナプキン本体９０２の肌側表面から立ち上がる。第１の表面構成要素９０３では、後方に第２の前方起端９３４ｂと第２の後方起端９３５ｂとが設けられ、図１９に示すように、第２の前方起端９３４ｂと第２の後方起端９３５ｂとの間で、他の第１の隆起部９３１ｂの弾性収縮力が作用し、他の第１の隆起部９３１ｂがナプキン本体９０２の肌側表面から立ち上がる。
【０１２５】
第１の後方起端９３５ａと第２の前方起端９３４ｂは、膣対向基準線Ｘ１から前後に同じ距離だけ離れて位置し、第１の後方起端９３５ａと第２の前方起端９３４ｂとの間では、第１の表面構成要素９０３が折畳まれて中央扁平部９３６が形成されている。また、第１の前方起端９３４ａよりも前方には前方扁平部９３２が設けられ、第２の後方起端９３５ｂよりも後方には後方扁平部９３３が設けられている。
【０１２６】
ナプキン本体９０２の肌側表面の両側部には、第２の表面構成要素９１０が設けられている。この表面構成要素９１０は、図３および図４に示したものと同様に、側部シート１１と、弾性部材１２ａ〜１２ｄによって構成されている。それぞれの表面構成要素９１０は、前方起端９１３ａと後方起端９１４ａとの間において、図３に示したのと同様にナプキン本体９０２の肌側表面から立ち上がっている。第２の隆起部９１５の前方起端９１３ａと後方起端９１４ａは、膣対向基準線Ｘ１から前後に同じ距離だけ離れて位置している。
【０１２７】
前方に位置する第１の隆起部９３１ａと後方に位置する第１の隆起部９３１ｂの長さは共に同じ寸法Ｌｇであり、第２の隆起部９１５の長さ寸法はＬｈである。そして、前方に位置する第１の隆起部９３１ａの後方部分と、第２の隆起部９１５の前方部分とが横方向に重なって前方重複領域が形成されており、後方に位置する第１の隆起部９３１ｂの前方部分と、第２の隆起部９１５の後方部分とが横方向に重なって後方重複領域が形成されている。図１９では、それぞれの重複領域を（ｉｖ）で示している。この重複領域（ｉｖ）の長さ寸法は１５ｍｍ以上であることが好ましく、さらに好ましくは３０ｍｍ以上である。
【０１２８】
図１９に示すように、前記重複領域（ｉｖ）が、膣対向基準線Ｘ１から前後に離れた位置にあるため、膣対向基準線Ｘ１が存在している中央領域においてナプキン本体９０２に作用する曲げ応力が比較的小さく、前記重複領域（ｉｖ）では曲げ応力が比較的大きくなる。よって、膣に対向する中央領域では、ナプキン本体９０２が湾曲形状に変形しいたときの曲率半径が比較的大きく、前後の重複領域（ｉｖ）においては小さい曲率半径で屈曲変形しやすくなる。そのため、中央領域が膣にフィットしやすく、重複領域（ｉｖ）が、膣よりも前方の恥骨部分、および肛門よりも後方において身体が小さい曲率半径で湾曲している部分にフィットしやすくなる。
【０１２９】
また、図１８に示すように、後方起端９３５ａと前方起端９３４ａとの間の中央領域には、圧縮線９４１と補助圧縮線９４２の双方が設けられているため、中央領域が湾曲しにくくなり、中央領域の曲率半径を比較的大きな状態に保ちやすくなる。
【０１３０】
図２０は本発明の第１０の実施の形態の生理用ナプキン１００１の自由状態を示す斜視図、図２１は図２０のＸＸＩ−ＸＸＩ線の断面図、図２２は図２０のＸＸＩＩ−ＸＸＩＩ線の断面図である。
【０１３１】
図２１と図２２に示すように、この生理用ナプキン１００１のナプキン本体１００２は、裏面シート２１と液吸収層２２および表面シート２３を有している。前縁部４および後縁部５では、表面シート２３が液吸収層２２の肌側表面に接着されている。前縁部４と後縁部５を除いた部分では、図２１および図２２に示すように、表面シート２３は、液吸収層２２の両側縁部２２ｃ，２２ｃに接着され且つその外側では裏面シート２１に接着されている。そして、液吸収層２２の肌側表面には表面シート２３が接着されておらず、表面シート２３が肌側表面から離れることが可能となっている。
【０１３２】
生理用ナプキン１００１の前方部分では、図２１に示すように、側部弾性部材１０３９，１０３９が縦方向において所定の長さの範囲に設けられている。側部弾性部材１０３９は横方向に間隔を開けて配置されており、その前方接続部と後方接続部との間で縦方向の弾性収縮力を発揮し、液吸収層２２の肌側表面から離れることができるようになっている。そして側部弾性部材１０３９，１０３９が設けられている部分に、第２の隆起部１０１５，１０１５が形成されている。
【０１３３】
生理用ナプキン１００１の後方部分では、縦方向中心線の位置に中央弾性部材１０３６が設けられている。この中央弾性部材１０３６はその前方接続部と後方接続部との間で、縦方向に弾性収縮力を発揮し、液吸収層２２の肌側表面から離れている。
【０１３４】
よって、生理用ナプキン１００１の後方部分では、中央弾性部材１０３６が設けられている部分が第１の隆起部１０３１となる。
【０１３５】
図２０に示すように、第１の隆起部１０３１の前方部分と、第２の隆起部１０１５の後方部分は、膣対向基準線Ｘ１よりも後方において横方向に重なっており重複領域が形成されている。
【０１３６】
図２１と図２２に示すように、表面シート２３の裏側には補強シート１００５が設けられており、中央弾性部材１０３６および側部弾性部材１０３９が前記補強シート１００５で覆われている。補強シート１００５は親水性の素材または液透過性の素材で剛性を有するものであり、例えば、エアーレイドパルプ、開口を有する樹脂フィルム、紙材、またはスルーエア不織布などで形成されている。
【０１３７】
前記補強シート１００５が設けられていると、図２１に示すように前方部分では、第２の隆起部１０１５と第２の隆起部１０１５の間で表面シート２３が平面形状を保ちやすくなる。また図２２に示すように、後方では、第１の隆起部１０３１の三角形状を保ちやすくなる。
【０１３８】
この生理用ナプキン１００１も、第１の隆起部１０３１と第２の隆起部１０１５とが重なっている重複領域と、この重複領域よりも前方に位置して第２の隆起部１０１５，１０１５が設けられた前方領域と、重複領域よりも後方に位置して第１の隆起部１０３１が設けられた後方領域を有している。そして、ナプキン本体１００２に作用する曲げ応力は、重複領域＞後方領域＞前方領域となるように設定されている。
【０１３９】
なお、前記各実施の形態では、ナプキン本体に作用する曲げ応力が、重複領域＞後方領域＞前方領域であることが好ましいとして説明したが、重複領域＞後方領域＝前方領域であってもよいし、重複領域＞前方領域＞後方領域であってもよい。
【図面の簡単な説明】
【０１４０】
【図１】本発明の第１の実施の形態の生理用ナプキンの自由状態を示す斜視図、
【図２】前記第１の実施の形態の生理用ナプキンを平面状に展開した状態を肌側表面から示す平面図、
【図３】図１のＩＩＩ−ＩＩＩ線の断面図、
【図４】図１のＩＶ−ＩＶ線の断面図、
【図５】前記第１の実施の形態の生理用ナプキンの自由状態を示す側面図、
【図６】女性の股部の形状を示す断面図、
【図７】本発明の第２の実施の形態の生理用ナプキンを示す断面図、
【図８】本発明の第３の実施の形態の生理用ナプキンを示す断面図、
【図９】本発明の第４の実施の形態の生理用ナプキンを示す断面図、
【図１０】本発明の第５の実施の形態の生理用ナプキンを示す断面図、
【図１１】（Ａ）（Ｂ）は第２の隆起部の変形例を示す部分断面図、
【図１２】本発明の第６の実施の形態の生理用ナプキンを平面状に展開した状態を肌側表面から示す平面図、
【図１３】本発明の第７の実施の形態の生理用ナプキンの自由状態を示す斜視図、
【図１４】図１３のＸＩＶ−ＸＩＶ線の断面図、
【図１５】図１３のＸＶ−ＸＶ線の断面図、
【図１６】本発明の第８の実施の形態の生理用ナプキンを平面状に展開した状態を肌側表面から示す平面図、
【図１７】第８の実施の形態の生理用ナプキンの自由状態を示す側面図、
【図１８】本発明の第９の実施の形態の生理用ナプキンを平面状に展開した状態を肌側表面から示す平面図、
【図１９】第９の実施の形態の生理用ナプキンの自由状態を示す側面図、
【図２０】本発明の第１０の実施の形態の生理用ナプキンの自由状態を示す斜視図、
【図２１】図２０のＸＸＩ−ＸＸＩ線の断面図、
【図２２】図２０のＸＸＩＩ−ＸＸＩＩ線の断面図、
【符号の説明】
【０１４１】
１  生理用ナプキン
２  ナプキン本体
３  第１の表面構成要素
１０  第２の表面構成要素
１１  側部シート
１２ａ〜１２ｄ  弾性部材
１３ａ  前方起端
１４ａ  後方起端
１５  第２の隆起部
２１  裏面シート
２２  液吸収層
２３  表面シート
３１  第１の隆起部
３２  前方扁平部
３３  後方扁平部
３４  前方起端
３５  後方起端
３６  弾性部材
３９  側部弾性部材
４１  圧縮線
４２  補助圧縮線
（ｉ）  重複領域
（ｉｉ）  前方領域
（ｉｉｉ）後方領域
Ｘ１  膣対向基準線
Ｘ２  肛門対向基準線
【図１】
2006181156.tif 000003
【図２】
2006181156.tif 000004
【図３】
2006181156.tif 000005
【図４】
2006181156.tif 000006
【図５】
2006181156.tif 000007
【図６】
2006181156.tif 000008
【図７】
2006181156.tif 000009
【図８】
2006181156.tif 000010
【図９】
2006181156.tif 000011
【図１０】
2006181156.tif 000012
【図１１】
2006181156.tif 000013
【図１２】
2006181156.tif 000014
【図１３】
2006181156.tif 000015
【図１４】
2006181156.tif 000016
【図１５】
2006181156.tif 000017
【図１６】
2006181156.tif 000018
【図１７】
2006181156.tif 000019
【図１８】
2006181156.tif 000020
【図１９】
2006181156.tif 000021
【図２０】
2006181156.tif 000022
【図２１】
2006181156.tif 000023
【図２２】
2006181156.tif 000024